(57)【要約】      （修正有）【課題】荷造り紐の使い残りの保管方法を提供する。【解決手段】枡状の箱で概楔形の紐留め部と紐切断具保管部２８とを設けてなる保管箱１に巻紐９を挿入し、紐１０の概先端は当該紐留め部Ａ４に留めておく。当該紐１０の使用後に残った長い残り紐の適宜な部分をまず当該紐留め部Ａ４に留めると、残りの紐を引張っても当該紐１０が保管箱１から出てくることはなくなるので、残りの当該紐１０を保管箱の側面に容易に巻き付けることができる。当該紐１０の最後の概先端部分を当該保管箱１の側面に設けた適宜な紐留め部に留める。このことにより当該紐１０の保管が容易になる。【選択図】図７
2009161239.tif 000002
【特許請求の範囲】
【請求項１】
荷造り用の紐等を収納する持運びが自在な保管箱において、当該保管箱に一個又は一個以上の紐留め部を設けたことを特徴とする、保管箱
【請求項２】
荷造り用の紐等を収納する持運びが自在な保管箱において、当該保管箱に巻き付け部と一個又は一個以上の紐留め部を設けたことを特徴とする、保管箱
【請求項３】
荷造り用の紐等を収納する持運びが自在な保管箱において、紐切断具保管部を設けた請求項１および請求項２に記載の、保管箱
【請求項４】
荷造り用の紐等を収納する持運びが自在な保管箱において、紐切断部を有することを特徴とした、請求項1又は請求項２に記載の保管箱
【発明の詳細な説明】
【技術分野】
【０００１】
本発明は荷造り紐等の紐等の保管箱に関するものである。
【背景技術】
【０００２】
従来荷造り紐等は、概円筒状に巻いてフィルムでカバーをかけた玉状の状態で販売され、巻いた紐の上端に設けられた巻紐開口部から紐を引き出して使用するのが一般的である。従って玉状に巻かれた紐は玉の内側からほどくようにして使用することになる。
荷造りする物体と当該巻紐とは距離があるため、荷造りが終わった後では紐が長く残り残った紐の処理に苦労していた。
また、業務用で使用する時は頻繁に紐を切断する場合が生じるが、切断の度にハサミ等の切断具を取り出したりしまったりする必要があり、不便であった。
【０００３】
【特許文献１】本件に関する特段の先行技術文献はみあたらない。
【発明の開示】
【発明が解決しようとする課題】
【０００４】
上述したように荷造りした後に長く残った紐は従来、巻紐の開口部に詰め込むか、巻紐の外周に巻きつけて保管していた。
荷造りするものが大きなものである場合には、使用後の紐の残りは結構長くなり、巻紐の開口部に埋め込むのに手間がかかり不便であった。特に未使用の紐が少なくなると、巻紐が玉状を保持できなくなり、未使用の紐の保管が益々不便になっていた。
まは、運送業等においては、頻繁に荷造り紐を使用するが、あらかじめ必要とする紐の長さを予測できるものの、当該荷造り紐を切断するため別途ハサミ等を保持し、切断の度に切断具を取り出したりしまったりする必要があり、不便であった。
本発明はこれらの問題を解決するためになされたものである。
【課題を解決するための手段】
【０００５】
本稿で右左左右等という場合は、図面上で見て右左上下をさすことにする。
本発明での保管箱１は、形状を特定するものではない。丸くても四角くてもよいが以下においては、四角形の箱を念頭に置いて論を進めるものとする。
また、当該保管箱１の素材は木、プラスチック、紙等で容易に破損しないものであればよく、特定の素材を特定するものではない。
さらに、紐切断刃１４は紐１０等が切断できるものであればよく、刃の素材や形状を特定するものではない。また、当該紐切断刃１４は当該保管箱１の外内壁もしくは巻き付け部の任意の場所に装着すればよく、装着場所を特定するものではない。以下当該保管箱１の構造および作用について述べる。
【０００６】
組み立て方式：  当該保管保管箱１の構造については、例えばダンボール箱等の比較的やわらかい素材による組み立て方式により当該保管箱１を作成する場合と、例えば四角い枡状の箱をベースに作成する場合とが考えられる。前者を組み立て方式ということにする。
図１は組み立て方式による保管保管箱１のいわば設計図である。のりしろ２２を裏面のりしろ２３に貼り付け、a―b、c―d、e―f、g―hの線に沿ってそれぞれの面を山折りすると、図２の（Ａ）のような形状の概箱になる。
次には、ツメＡ２４とツメＣ２６を図１のイーロの線に沿って山折りし、次にツメＢ２５を山折りした後、最後にツメＤ２７を山折りしツメＢ２５の凹部にツメＤ２７の凸部を挿入すると、図２の（Ｂ）に示すような箱となる。
適宜な二つの面に切り込みを入れてなる切り込みＡ１８、切り込みＢ１９、および切り込みＣ２０、切り込みＤ２１を箱の内側に押し込むと図３に示すような四角な枠が形成されるので、この部分にハサミやカッターなどの紐保管具を保管する。この部分を紐切断具保管部２８ということにする。以上により上部に開口部２を有する枡状の当該保管箱１の組み立てが完了する。
なお、当該保管箱１の各壁の上部には各壁を切り裂くようにしてなる概楔状の紐留め部を設けておく。当該紐留め部の数はは四つに限定するものではない。
また、当該保管箱１は組み立て方式として述べてきたが、当初から上記のような形・構造に形成しておいてもよい。
【０００７】
図６に示すように、当該保管箱１に巻紐９を挿入し、紐１０の概先端部分を当該紐留め部に留めて保管しておく。本稿では紐留め部Ａ４に留めるものとする。すなわち当該紐留め部Ａ４は概楔上に形成されているので、当該紐１０の巻紐開口部１３近辺を持ちながら、当該紐１０の概先端部分を持って当該紐留め部Ａ４の下方へ引張るようにしつつ挿入すると、概紐１０は当該紐留め部Ａ４に一時的に保留（仮留め）され、当該紐１０の先端部分を持ってひっぱても当該紐１０が当該巻紐９部分からほどけ出ることはなく当該紐１０が一時的に固定された状態になる。
当該紐留め部の機能は、当該紐１０を一時的に固定するためのものであるので、その形状は楔形に限定するものではない。面ファスナーや粘着剤等を使用してもよい。なお、当該紐留め部の形状・構成については以下に述べる当該保管箱１の各ケースにおいても同じであるので、以下においては省略する場合もある。
【０００８】
当該紐１０を使って荷造りをした後には、図７の（Ａ）に示すように未使用な紐が長く残るので、上記（０００７）に述べた要領で当該紐１０を当該紐留め部Ａ４に留め、残りの当該紐１０を図７の（Ｂ）に示すように、当該保管箱１の外周に巻付け、当該紐１０の概先端部分を適宜な紐留め部（図７の（Ｂ）では紐留め部Ｂ５）に留めて保管する。
再度当該紐１０を使用するときは、当該紐留め部Ｂ５から当該紐１０をはずして荷造り等をおこない、最後は上記の要領で当該紐１０を留める。
【０００９】
巻付け部保有方式：  図４の（Ａ）は、四角形の箱で上部が開口部２となっている枡状の保管箱１である。当該保管箱１の四隅の壁のうちの一つの壁は他よりも高く、巻き付け部３となっている。当該巻き付け部３の適宜な場所に紐留め部Ａ４を設ける。紐留め部Ｂ５や同Ｃ６等、当該紐留め部は一個又は一個以上設けておく。なお、当該紐留め部の形状は概楔形状になっている。
なお、当該巻き付け部３は当該保管箱１の取っ手をも兼ねているので、当該巻き付け部３の形状は図に示すような四角形状でなければならないことはなく、紐１０を巻きつけることができる形状であればよい。
なお、当該保管箱１は組み立て方式で形成してもよく、当初から上記のような形・構造に形成しておいてもよい。
当該紐留め部の形状は概楔形状になっており、当該紐留め部Ａに当該紐１０を差し込むように挿入することにより、当該紐１０は仮留めされた状態になり、当該巻紐９部分からほどけ出ることはなく当該紐１０が一時的に固定した状態になる。
【００１０】
巻付け部・箱蓋保有方式：  図４の（Ｂ）は、当該保管箱１に箱蓋７を設けた保管箱で、当該箱蓋７の一端は当該巻き付け部３と接し上下に自在に動くようになっており、また当該箱蓋７には紐通し穴８が設けられている。このことにより枡状の箱に紐通し穴８という開口部を持った蓋が自在に開閉できる形で設けられたことになる。
当該保管箱１に当該巻紐９を挿入し、当該紐通し穴８を経由して挿入した当該巻紐９の当該紐１０を引き出し、当該箱蓋７をする。当該箱蓋７の当該巻き付け部３と接していない面は図４の（Ｂ）に示すように山折され、当該保管箱１の側面と面ファスナーや粘着剤等により着脱自在となるようにしておく。すなわち、当該箱蓋７は開閉自由にしておく。
なお、当該箱蓋７は、当該保管箱１を上から覆うように設けてもよく、上記構造に限定するものではない。
また、当該保管箱１は組み立て方式で形成してもよく、当初から上記のような形・構造に形成しておいてもよい。
作用・使用方法は記述の保管箱１と同様である。すなわち当該紐留め部Ａ４に当該巻紐９を仮留めし、未使用の当該紐１０は当該巻付け部３に巻付け、先端部分を適宜な紐留め部に留めて保管する。
【００１１】
単純枡状保管箱：  図５の（Ａ）に示す保管箱１は紐切断具保管部２８を有しない枡状に形成されたものである。形成方法としては、組み立て方式で形成してもよく、当初から上記のような形・構造に形成しておいてもよい。
また、作用や使用方法は上記（０００７）から（０００８）に記載のとおりである。
【００１２】
紐切断刃を有する保管箱：図５の（Ｂ）に示す保管箱１は、上記（００１１）で述べた枡状に成型した当該保管箱１の連結する適宜な二つの面に適宜な大きさの開口部２を設け、片方の面の当該開口部２部分に紐切断刃１４を装着したものである。
当該保管箱１は荷物等を荷造りする際に、あらかじめ必要と思われる紐１０をカットして荷造りをするケースに適したものである。すなわち、当該保管箱１に挿入した巻紐９から必要と思われる長さの当該紐１０を引き出し、当該巻紐９に近い当該紐１０を当該紐留め部Ａ４に留める。次に当該紐１０を当該保管箱１の側面に設けられた開口部２に挿入するようにして、当該紐１０を当該紐切断刃１４にこすりつけて、切断する。
当該紐１０の概先端部分は当該紐留め部Ａ４に留められた状態になるので、この状態で保管する。
なお、何らかのことで未使用の当該紐１０が残ることもあるので、紐留め部は複数個設けておいてもよい。
なお、当該保管箱１は組み立て方式で形成してもよく、当初から上記のような形・構造に形成しておいてもよい。
【発明の効果】
【００１３】
従来荷造り紐の使用に際しては、最後に使い残りの紐が長く残り、残った紐を巻紐開口部へ挿入するなど不便な取り扱いをせざるを得なかった。また残った紐を巻紐自体に巻きつける方法もとっていたが、紐の量が少なくなると、巻紐自体が形を崩してしまうため巻き込むことができなる。
運送業者などは荷造り紐の使用に当たっては、使用する長さの見当がつくので、最初に使用予定の長さに紐を切っていたが、切断するに際してはハサミ等を利用するため、切断するごとにハサミ等を取り出さざるを得ず、不便であった。
以上のような不便さを解消するため、紐留め部を設けた箱に巻紐を保管することにより、使い残した紐を巻き付け部や保管箱の外側に容易に巻きつけることができ、巻紐の保管と使い残した紐の保管が便利にできるようになる。もしくは、紐切断刃をも設けた保管箱にあっては、紐等を切断するのにわざわざハサミ等を取り出す必要がなくくなる。
【発明を実施するための最良の形態】
【００１４】
以下、保管箱の各形状に沿って実施例を述べる。
【実施例１】
【００１５】
紐切断具保管部を有する保管箱：  当該保管箱１の構造については種々述べてきたが、実施方法は基本的にはどの保管箱においても概ね同様である。
図２の（Ｂ）は紐切断具保管部２８を有するが箱蓋７を有しない枡状の保管箱１である。
当該保管箱１に図６に示すように巻紐９を挿入する。巻紐開口部１３から出ている紐１０の概先端部分を紐留め部Ａ４に留めて保管しておく。
荷造りをおこなうに当たっては、当該紐留め部Ａ４から当該紐１０をはずし、荷造りを行い、当該紐切断具保管部２８に保管しておいたカッターもしくはハサミ等の切断具で当該紐１０を切断する。
残った未使用の当該紐１０は図７の（Ａ）に示すように、まず当該巻紐９に近い部分を当該紐留め部Ａ４に留めると、これ以上当該紐１０が当該巻紐９から出てくることはなくなるので、残りの未使用の当該紐１０を当該保管箱１の側面に図７の（Ｂ）に示すように巻付け、当該紐１０の概先端部分を任意の紐留め部に留める。
【実施例２】
【００１６】
巻付け部を有する保管箱：  実施例２は図４の（Ａ）に示すような巻付け部３を有する保管箱１を用いる場合である。
実施方法は基本的には上記（００１５）とおなじである。相違点は紐１０を当該巻付け部３に設けた紐留め部Ａ４にまず留め、残った当該紐１０を当該巻付け部３に巻付け、当該紐１０の概先端部分を当該巻付け部に設けた任意の紐留め部に留めておく点である。
【実施例３】
【００１７】
巻付け部と箱蓋を有するは保管箱：  実施例３は図４の（Ｂ）に示すような巻付け部３と箱蓋７を有する保管箱１を用いる場合である。
実施例３は基本的に上記（００１６）の実施例２とおなじである。当該保管箱１に巻紐９を挿入し、紐通し穴８を経由して紐１０を箱の外側に出しておく。
荷造りを行い、残った未使用の当該紐１０は図８の（Ａ）に示すように当該巻付け部３の紐留め部Ａ４にまず留め、残りの当該紐１０を当該巻付け部３に巻付け、未使用の当該紐１０の概先端部分を任意の紐巻付け部に留めておく。
【実施例４】
【００１８】
枡状の保管箱：  実施例４は図５の（Ａ）に示すような、枡状の保管箱１を用いる場合である。当該保管箱１は実施例１で述べた保管箱１と基本的には同じであり、相違点は紐切断具保管部２８を有しないだけである。
荷造りがすんだ後で未使用の紐１０を切断する場合には、当該保管箱１に保管していないカッターやハサミ等の切断具で切断する必要がある。この点を除き実施方法は実施例１といなじである。
【実施例５】
【００１９】
紐切断刃を装着した保管箱：  実施例５は、紐切断刃１４を装着した保管箱１を用いる場合である。当該紐切断刃１４を有する保管箱１を用いるのは、荷造りをするに際し、あらかじめ必要とする当該紐１０の長さを見定め、当該紐１０をカットしてしまう場合である。
巻紐９は上記実施例で述べてきたっと同様に、当該保管箱１に挿入されている。当該紐１０を引き出し、必要となった長さになったら、当該紐１０の当該巻紐９に近い部分を紐留め部Ａ４に留める。次に当該紐１０の適宜な部分を持ち、当該保管箱１の側面に設けられた開口部２に当該紐１０を挿入し、当該紐１０を当該紐切断刃１４にこすり付けるようにして切断する。残りの当該紐１０は当該紐留め部Ａ４に留められた状態となる。
なお、当該紐１０を長く残して切断する場合は、残った未使用の当該紐１０は当該保管箱１の側面に巻付け、当該紐１０の概先端部分を任意の紐留め部に留めておく。
【産業上の利用可能性】
【００２０】
本発明により、荷造り紐等の管理が容易になる。一般家庭においてもあるいは業務面においても本発明は容易に利用でき、荷造り紐等の使用および保管が便利になる。
【図面の簡単な説明】
【００２１】
【図１】組み立て式保管箱を広げて開いた状況を示す平面図
【図２】組み立て式保管箱の（Ａ）は組み立て前の保管箱の斜視図で（Ｂ）は組み立て後の保管箱の斜視図
【図３】紐切断具保管部の構造を示す斜視図
【図４】巻き付け部を有する保管箱の構成を示す斜視図で、（A）は蓋を有しない保管箱で、（B）は蓋を有する保管箱
【図５】保管箱の構成を示す斜視図で、（Ａ）は枡状の保管箱で（Ｂ）は紐切断刃を装着した枡状の保管箱
【図６】組み立て式保管箱の使用状況を示す斜視図―その１
【図７】組み立て式保管箱の使用状況を示す斜視図―その２
【図８】保管箱の使用状況を示す斜視図で、（Ａ）は蓋と巻き付け部とを有する保管箱の使用状況を示す斜視図、（Ｂ）は紐切断刃を装着した保管箱の使用状況を示す斜視図
【符号の説明】
【００２２】
１  保管箱
２  開口部
３  巻き付け部
４  紐留め部Ａ
５  紐留め部Ｂ
６  紐留め部Ｃ
７  箱蓋
８  紐通し穴
９  巻紐  
１０  紐  
１１  中箱  
１２  外箱
１３  巻紐開口部
１４  紐切断刃
１５  壁面Ａ
１６  壁面開口部
１７  紐留め部Ｄ
１８  切り込みＡ
１９  切込みＢ
２０  切込みＣ
２１  切込みＤ
２２  のりしろ
２３  裏面のりしろ
２４  ツメＡ
２５  ツメＢ
２６  ツメＣ
２７  ツメＤ
２８  紐切断具保管部
【図１】
2009161239.tif 000003
【図２】
2009161239.tif 000004
【図３】
2009161239.tif 000005
【図４】
2009161239.tif 000006
【図５】
2009161239.tif 000007
【図６】
2009161239.tif 000008
【図７】
2009161239.tif 000009
【図８】
2009161239.tif 000010
【手続補正書】
【提出日】平成20年2月12日(2008.2.12)
【手続補正１】
【補正対象書類名】特許請求の範囲
【補正対象項目名】全文
【補正方法】変更
【補正の内容】
【特許請求の範囲】
【請求項１】
荷造り用の紐等を収納する保管箱において、当該保管箱に一個又は一個以上の紐留め部を設けたことを特徴とする、保管箱
【請求項２】
荷造り用の紐等を収納する保管箱において、当該保管箱に巻き付け部と一個又は一個以上の紐留め部を設けたことを特徴とする、保管箱
【請求項３】
荷造り用の紐等を収納する保管箱において、紐切断具保管部を設けた請求項１および請求項２に記載の、保管箱
【請求項４】
荷造り用の紐等を収納する保管箱において、紐切断部を有することを特徴とした、請求項1又は請求項２に記載の保管箱
【請求項５】
荷造り用の紐等を収納する保管箱において、当該保管箱の側面に紐通り穴を設けた請求項３に記載の、保管箱
【手続補正２】
【補正対象書類名】明細書
【補正対象項目名】全文
【補正方法】変更
【補正の内容】
【発明の詳細な説明】
【技術分野】
【０００１】
本発明は荷造り紐等の紐等の保管箱に関するものである。
【背景技術】
【０００２】
従来荷造り紐等は、概円筒状に巻いてフィルムでカバーをかけた玉状の状態で販売され、巻いた紐の上端に設けられた巻紐開口部から紐を引き出して使用するのが一般的である。従って玉状に巻かれた紐は玉の内側からほどくようにして使用することになる。
荷造りする物体と当該巻紐とは距離があるため、荷造りが終わった後では紐が長く残り残った紐の処理に苦労していた。
また、業務用で使用する時は頻繁に紐を切断する場合が生じるが、切断の度にハサミ等の切断具を取り出したりしまったりする必要があり、不便であった。
【０００３】
【特許文献１】本件に関する特段の先行技術文献はみあたらない。
【発明の開示】
【発明が解決しようとする課題】
【０００４】
上述したように荷造りした後に長く残った紐は従来、巻紐の開口部に詰め込むか、巻紐の外周に巻きつけて保管していた。
荷造りするものが大きなものである場合には、使用後の紐の残りは結構長くなり、巻紐の開口部に埋め込むのに手間がかかり不便であった。特に未使用の紐が少なくなると、巻紐が玉状を保持できなくなり、未使用の紐の保管が益々不便になっていた。
まは、運送業等においては、頻繁に荷造り紐を使用するが、あらかじめ必要とする紐の長さを予測できるものの、当該荷造り紐を切断するため別途ハサミ等を保持し、切断の度に切断具を取り出したりしまったりする必要があり、不便であった。
本発明はこれらの問題を解決するためになされたものである。
【課題を解決するための手段】
【０００５】
本稿で右左左右等という場合は、図面上で見て右左上下をさすことにする。
本発明での保管箱１は、形状を特定するものではない。丸くても四角くてもよいが以下においては、四角形の箱を念頭に置いて論を進めるものとする。
また、当該保管箱１の素材は木、プラスチック、紙等で容易に破損しないものであればよく、特定の素材を特定するものではない。
さらに、紐切断刃１４は紐１０等が切断できるものであればよく、刃の素材や形状を特定するものではない。また、当該紐切断刃１４は当該保管箱１の外内壁もしくは巻き付け部の任意の場所に装着すればよく、装着場所を特定するものではない。以下当該保管箱１の構造および作用について述べる。
【０００６】
組み立て方式：  当該保管保管箱１の構造については、例えばダンボール箱等の比較的やわらかい素材による組み立て方式により当該保管箱１を作成する場合と、例えば四角い枡状の箱をベースに作成する場合とが考えられる。前者を組み立て方式ということにする。
図１は組み立て方式による保管保管箱１のいわば設計図である。のりしろ２２を裏面のりしろ２３に貼り付け、a―b、c―d、e―f、g―hの線に沿ってそれぞれの面を山折りすると、図２の（Ａ）のような形状の箱になる。
図９は保管箱１の側面に通し穴８を設けた場合の設計図で上記と同様にａーｂ等の線に沿ってそれぞれの面を山折りにする。またここでは紐留め部を横向きに設けた場合で、完成すると図１０のようになる。
なお、紐留め部は当該保管箱１の壁面に対すて縦方向に設けてもよく、横方向に設けてもよい。以下図１の設計図に沿って説明する。
次には、ツメＡ２４とツメＣ２６を図１のイーロの線に沿って山折りし、次にツメＢ２５を山折りした後、最後にツメＤ２７を山折りしツメＢ２５の凹部にツメＤ２７の凸部を挿入すると、図２の（Ｂ）に示すような箱となる。
適宜な二つの面に切り込みを入れてなる切り込みＡ１８、切り込みＢ１９、および切り込みＣ２０、切り込みＤ２１を箱の内側に押し込むと図３に示すような四角な枠が形成されるので、この部分にハサミやカッターなどの紐保管具を保管する。この部分を紐切断具保管部２８ということにする。以上により上部に開口部２を有する枡状の当該保管箱１の組み立てが完了する。
なお、当該保管箱１の各壁の上部には各壁を切り裂くようにしてなる概楔状の紐留め部を設けておく。当該紐留め部の数はは四つに限定するものではない。
また、当該保管箱１は組み立て方式として述べてきたが、当初から上記のような形・構造に形成しておいてもよい。
【０００７】
図６に示すように、当該保管箱１に巻紐９を挿入し、紐１０の概先端部分を当該紐留め部に留めて保管しておく。本稿では紐留め部Ａ４に留めるものとする。すなわち当該紐留め部Ａ４は概楔上に形成されているので、当該紐１０の巻紐開口部１３近辺を持ちながら、当該紐１０の概先端部分を持って当該紐留め部Ａ４の下方へ引張るようにしつつ挿入すると、概紐１０は当該紐留め部Ａ４に一時的に保留（仮留め）され、当該紐１０の先端部分を持ってひっぱても当該紐１０が当該巻紐９部分からほどけ出ることはなく当該紐１０が一時的に固定された状態になる。
当該紐留め部の機能は、当該紐１０を一時的に固定するためのものであるので、その形状は楔形に限定するものではない。面ファスナーや粘着剤等を使用してもよい。なお、当該紐留め部の形状・構成については以下に述べる当該保管箱１の各ケースにおいても同じであるので、以下においては省略する場合もある。
【０００８】
当該紐１０を使って荷造りをした後には、図７の（Ａ）に示すように未使用な紐が長く残るので、上記（０００７）に述べた要領で当該紐１０を当該紐留め部Ａ４に留め、残りの当該紐１０を図７の（Ｂ）に示すように、当該保管箱１の外周に巻付け、当該紐１０の概先端部分を適宜な紐留め部（図７の（Ｂ）では紐留め部Ｂ５）に留めて保管する。
再度当該紐１０を使用するときは、当該紐留め部Ｂ５から当該紐１０をはずして荷造り等をおこない、最後は上記の要領で当該紐１０を留める。
【０００９】
巻付け部保有方式：  図４の（Ａ）は、四角形の箱で上部が開口部２となっている枡状の保管箱１である。当該保管箱１の四隅の壁のうちの一つの壁は他よりも高く、巻き付け部３となっている。当該巻き付け部３の適宜な場所に紐留め部Ａ４を設ける。紐留め部Ｂ５や同Ｃ６等、当該紐留め部は一個又は一個以上設けておく。なお、当該紐留め部の形状は概楔形状になっている。
なお、当該巻き付け部３は当該保管箱１の取っ手をも兼ねているので、当該巻き付け部３の形状は図に示すような四角形状でなければならないことはなく、紐１０を巻きつけることができる形状であればよい。
なお、当該保管箱１は組み立て方式で形成してもよく、当初から上記のような形・構造に形成しておいてもよい。
当該紐留め部の形状は概楔形状になっており、当該紐留め部Ａに当該紐１０を差し込むように挿入することにより、当該紐１０は仮留めされた状態になり、当該巻紐９部分からほどけ出ることはなく当該紐１０が一時的に固定した状態になる。
【００１０】
巻付け部・箱蓋保有方式：  図４の（Ｂ）は、当該保管箱１に箱蓋７を設けた保管箱で、当該箱蓋７の一端は当該巻き付け部３と接し上下に自在に動くようになっており、また当該箱蓋７には紐通し穴８が設けられている。このことにより枡状の箱に紐通し穴８という開口部を持った蓋が自在に開閉できる形で設けられたことになる。
当該保管箱１に当該巻紐９を挿入し、当該紐通し穴８を経由して挿入した当該巻紐９の当該紐１０を引き出し、当該箱蓋７をする。当該箱蓋７の当該巻き付け部３と接していない面は図４の（Ｂ）に示すように山折され、当該保管箱１の側面と面ファスナーや粘着剤等により着脱自在となるようにしておく。すなわち、当該箱蓋７は開閉自由にしておく。
なお、当該箱蓋７は、当該保管箱１を上から覆うように設けてもよく、上記構造に限定するものではない。
また、当該保管箱１は組み立て方式で形成してもよく、当初から上記のような形・構造に形成しておいてもよい。
作用・使用方法は記述の保管箱１と同様である。すなわち図８の（Ａ）に示すようにも着付け部３に設けた当該紐留め部Ａ４に当該巻紐９を仮留めし、未使用の当該紐１０は当該巻付け部３に巻付け、先端部分を適宜な紐留め部に留めて保管する。
【００１１】
単純枡状保管箱：  図５の（Ａ）に示す保管箱１は紐切断具保管部２８を有しない枡状に形成されたものである。形成方法としては、組み立て方式で形成してもよく、当初から上記のような形・構造に形成しておいてもよい。
また、作用や使用方法は上記（０００７）から（０００８）に記載のとおりである。
【００１２】
紐切断刃を有する保管箱：図５の（Ｂ）に示す保管箱１は、上記（００１１）で述べた枡状に成型した当該保管箱１の連結する適宜な二つの面に適宜な大きさの開口部２を設け、片方の面の当該開口部２部分に紐切断刃１４を装着したものである。
当該保管箱１は荷物等を荷造りする際に、あらかじめ必要と思われる紐１０をカットして荷造りをするケースに適したものである。すなわち、図８の（Ｂ）に示すように、当該保管箱１に挿入した巻紐９から必要と思われる長さの当該紐１０を引き出し、当該巻紐９に近い当該紐１０を当該紐留め部Ａ４に留める。次に当該紐１０を当該保管箱１の側面に設けられた開口部２に挿入するようにして、当該紐１０を当該紐切断刃１４にこすりつけて、切断する。
当該紐１０の概先端部分は当該紐留め部Ａ４に留められた状態になるので、この状態で保管する。
なお、何らかのことで未使用の当該紐１０が残ることもあるので、紐留め部は複数個設けておいてもよい。
【００１３】
通し穴を壁面に有する保管箱：図１０に示す保管箱１は、当該保管箱１の側面に開口部を設け紐通し穴８を設けたものである。さらに紐留め部を図１０に示すように当該保管箱１の底面に対して水平に設けることを特徴としている。
当該保管箱のいわば設計図ともいえるものが図９である。
図１０に示すように巻紐９を当該保管箱１に挿入し、紐１０の先端部分を当該通し穴８から通して外に出し、紐留め部Ａ４（もしくは紐留め部Ｄ３０）に留めて保管しておく。
使用に当たっては、当該紐１０を当該紐留め部Ａ４（もしくは紐留め部Ｄ３０）からはずし、当該紐１０を引き出して荷造り等を行う。
残った未使用の当該紐１０については、図１１の（Ａ）に示すように当該未使用の紐１０の概元の部分を当該紐留め部Ａ４（もしくは紐留め部Ｄ３０）に留める。すると当該紐１０の先端部分をひっぱても当該紐１０は当該保管箱１から出てこなくなる。その後、図１１の（Ｂ）に示すように当該未使用の紐１０をぐるぐると当該保管箱１に巻き付け、概先端部分を近くの任意の紐留め部に留めて保管する。 
なお、当該保管箱１は、板紙もしくは段ボール箱等を図１や図９に示すように成型しておき、これを組み立てて当該保管箱１を方式で形成してもよく、当初から当該保管箱１のような形・構造に形成しておいてもよい。
【発明の効果】
【００１４】
従来荷造り紐の使用に際しては、最後に使い残りの紐が長く残り、残った紐を巻紐開口部へ挿入するなど不便な取り扱いをせざるを得なかった。また残った紐を巻紐自体に巻きつける方法もとっていたが、紐の量が少なくなると、巻紐自体が形を崩してしまうため巻き込むことができなる。
運送業者などは荷造り紐の使用に当たっては、使用する長さの見当がつくので、最初に使用予定の長さに紐を切っていたが、切断するに際してはハサミ等を利用するため、切断するごとにハサミ等を取り出さざるを得ず、不便であった。
以上のような不便さを解消するため、紐留め部を設けた箱に巻紐を保管することにより、使い残した紐を巻き付け部や保管箱の外側に容易に巻きつけることができ、巻紐の保管と使い残した紐の保管が便利にできるようになる。もしくは、紐切断刃をも設けた保管箱にあっては、紐等を切断するのにわざわざハサミ等を取り出す必要がなくくなる。
【発明を実施するための最良の形態】
【００１５】
以下、保管箱の各形状に沿って実施例を述べる。
【実施例１】
【００１６】
紐切断具保管部を有する保管箱：  当該保管箱１の構造については種々述べてきたが、実施方法は基本的にはどの保管箱においても概ね同様である。
図２の（Ｂ）は紐切断具保管部２８を有するが箱蓋７を有しない枡状の保管箱１である。
当該保管箱１に図６に示すように巻紐９を挿入する。巻紐開口部１３から出ている紐１０の概先端部分を紐留め部Ａ４に留めて保管しておく。
荷造りをおこなうに当たっては、当該紐留め部Ａ４から当該紐１０をはずし、荷造りを行い、当該紐切断具保管部２８に保管しておいたカッターもしくはハサミ等の切断具で当該紐１０を切断する。
残った未使用の当該紐１０は図７の（Ａ）に示すように、まず当該巻紐９に近い部分を当該紐留め部Ａ４に留めると、これ以上当該紐１０が当該巻紐９から出てくることはなくなるので、残りの未使用の当該紐１０を当該保管箱１の側面に図７の（Ｂ）に示すように巻付け、当該紐１０の概先端部分を任意の紐留め部に留める。
【実施例２】
【００１７】
巻付け部を有する保管箱：  実施例２は図４の（Ａ）に示すような巻付け部３を有する保管箱１を用いる場合である。
実施方法は基本的には上記（００１６）とおなじである。相違点は紐１０を当該巻付け部３に設けた紐留め部Ａ４にまず留め、残った当該紐１０を当該巻付け部３に巻付け、当該紐１０の概先端部分を当該巻付け部に設けた任意の紐留め部に留めておく点である。
【実施例３】
【００１８】
巻付け部と箱蓋を有するは保管箱：  実施例３は図４の（Ｂ）に示すような巻付け部３と箱蓋７を有する保管箱１を用いる場合である。
実施例３は基本的に上記（００１７）の実施例２とおなじである。当該保管箱１に巻紐９を挿入し、紐通し穴８を経由して紐１０を箱の外側に出しておく。
荷造りを行い、残った未使用の当該紐１０は図８の（Ａ）に示すように当該巻付け部３の紐留め部Ａ４にまず留め、残りの当該紐１０を当該巻付け部３に巻付け、未使用の当該紐１０の概先端部分を任意の紐巻付け部に留めておく。
【実施例４】
【００１９】
枡状の保管箱：  実施例４は図５の（Ａ）に示すような、枡状の保管箱１を用いる場合である。当該保管箱１は実施例１で述べた保管箱１と基本的には同じであり、相違点は紐切断具保管部２８を有しないだけである。
荷造りがすんだ後で未使用の紐１０を切断する場合には、当該保管箱１に保管していないカッターやハサミ等の切断具で切断する必要がある。この点を除き実施方法は実施例１といなじである。
【実施例５】
【００２０】
紐切断刃を装着した保管箱：  実施例５は、紐切断刃１４を装着した保管箱１を用いる場合である。当該紐切断刃１４を有する保管箱１を用いるのは、荷造りをするに際し、あらかじめ必要とする当該紐１０の長さを見定め、当該紐１０をカットしてしまう場合である。
巻紐９は上記実施例で述べてきたっと同様に、当該保管箱１に挿入されている。当該紐１０を引き出し、必要となった長さになったら、当該紐１０の当該巻紐９に近い部分を紐留め部Ａ４に留める。次に当該紐１０の適宜な部分を持ち、当該保管箱１の側面に設けられた開口部２に当該紐１０を挿入し、当該紐１０を当該紐切断刃１４にこすり付けるようにして切断する。残りの当該紐１０は当該紐留め部Ａ４に留められた状態となる。
なお、当該紐１０を長く残して切断する場合は、残った未使用の当該紐１０は当該保管箱１の側面に巻付け、当該紐１０の概先端部分を任意の紐留め部に留めておく。
【実施例６】
【００２１】
通し穴を壁面に有する保管箱：実施例６は、当該保管箱１の側面に開口部を設け紐通し穴８を設けた場合である。この場合においては紐留め部を図１０に示すように当該保管箱１の底面に対して水平に設けることを特徴としている。
図１０に示すように巻紐９を当該保管箱１に挿入し、紐１０の先端部分を当該通し穴８から通して外に出し、紐留め部Ａ４（もしくは紐留め部Ｄ３０）に留めて保管しておく。
使用に当たっては、当該紐１０を当該紐留め部Ａ４（もしくは紐留め部Ｄ３０）からはずし、当該紐１０を引き出して荷造り等を行う。
残った未使用の当該紐１０については、図１１の（Ａ）に示すように当該未使用の紐１０の概元の部分を当該紐留め部Ａ４（もしくは紐留め部Ｄ３０）に留める。すると当該紐１０の先端部分をひっぱても当該紐１０は当該保管箱１から出てこなくなる。その後、図１１の（Ｂ）に示すように当該未使用の紐１０をぐるぐると当該保管箱１に巻き付け、概先端部分を近くの任意の紐留め部に留めて保管する。 
【産業上の利用可能性】
【００２２】
本発明により、荷造り紐等の管理が容易になる。一般家庭においてもあるいは業務面においても本発明は容易に利用でき、荷造り紐等の使用および保管が便利になる。
【図面の簡単な説明】
【００２３】
【図１】組み立て式保管箱を広げて開いた状況を示す平面図
【図２】組み立て式保管箱の（Ａ）は組み立て前の保管箱の斜視図で（Ｂ）は組み立て後の保管箱の斜視図
【図３】紐切断具保管部の構造を示す斜視図
【図４】巻き付け部を有する保管箱の構成を示す斜視図で、（A）は蓋を有しない保管箱で、（B）は蓋を有する保管箱
【図５】保管箱の構成を示す斜視図で、（Ａ）は枡状の保管箱で（Ｂ）は紐切断刃を装着した枡状の保管箱
【図６】組み立て式保管箱の使用状況を示す斜視図―その１
【図７】組み立て式保管箱の使用状況を示す斜視図―その２
【図８】保管箱の使用状況を示す斜視図で、（Ａ）は蓋と巻き付け部とを有する保管箱の使用状況を示す斜視図、（Ｂ）は紐切断刃を装着した保管箱の使用状況を示す斜視図
【図９】側面に紐通し穴と紐切断側面に具保管部を設けた保管箱の平面図
【図１０】側面に紐通し穴と紐切断具保管部を設けた保管箱の斜視図
【図１１】保管箱の使用状況を示す斜視図で、（Ａ）は紐の元の部分を紐留め部Ａに留めた図で（Ｂ）は残りのヒモを保管箱に巻いて保管した状態を示す図
【符号の説明】
【００２４】
１  保管箱
２  開口部
３  巻き付け部
４  紐留め部Ａ
５  紐留め部Ｂ
６  紐留め部Ｃ
７  箱蓋
８  紐通し穴
９  巻紐  
１０  紐  
１１  中箱  
１２  外箱
１３  巻紐開口部
１４  紐切断刃
１５  壁面Ａ
１６  壁面開口部
１７  紐留め部Ｄ
１８  切り込みＡ
１９  切込みＢ
２０  切込みＣ
２１  切込みＤ
２２  のりしろ
２３  裏面のりしろ
２４  ツメＡ
２５  ツメＢ
２６  ツメＣ
２７  ツメＤ
２８  紐切断具保管部
２９  紐留め部Ｄ
３０  紐留め部Ｅ
【手続補正３】
【補正対象書類名】図面
【補正対象項目名】全図
【補正方法】変更
【補正の内容】
【図１】
2009161239.tif 000011
【図２】
2009161239.tif 000012
【図３】
2009161239.tif 000013
【図４】
2009161239.tif 000014
【図５】
2009161239.tif 000015
【図６】
2009161239.tif 000016
【図７】
2009161239.tif 000017
【図８】
2009161239.tif 000018
【図９】
2009161239.tif 000019
【図１０】
2009161239.tif 000020
【図１１】
2009161239.tif 000021